(57)【要約】  【課題】  無線親機と無線子機とが無線通信できるように、相手局登録を間違うことなく確実に行う。  【解決手段】  無線親機４のメータインターフェース部と無線子機５のメータインターフェース部とを中継器Ｒにより有線接続して、通信可能とする。中継器Ｒを通じて無線子機５から登録要求が出されたとき、無線親機４から無線子機５に仮のユーザＩＤを送信する。無線子機５では、この仮のユーザＩＤを記憶する。この後、仮のユーザＩＤを用いて無線親機４と無線子機５間で無線通信を行い、センタ側装置は、無線子機５を呼び出して正規のユーザＩＤを送信する。無線子機５は、正規のユーザＩＤに書き換え、無線親機４に正規のユーザＩＤを送信する。無線親機４は、無線子機５のユーザＩＤを記憶する。【選択図】  図６
2005057412.tif 000002
【特許請求の範囲】
【請求項１】
センタ側装置と端末網制御装置とが通信回線を介して接続され、前記端末網制御装置に接続された無線親機と、該無線親機との間でデータ伝送を行う無線子機とを備え、前記無線親機および無線子機は、端末機器と通信するためのインターフェース部を有し、前記無線親機および無線子機は、前記インターフェース部を通じて識別情報を送信し、通信相手の登録を行うことを特徴とする無線データ通信システム。
【請求項２】
センタ側装置と端末網制御装置とが通信回線を介して接続され、前記端末網制御装置に接続された無線親機と、該無線親機との間でデータ伝送を行う無線子機とを備え、前記無線親機および無線子機は、端末機器と通信するためのインターフェース部を有し、前記無線親機のインターフェース部と無線子機のインターフェース部とが通信可能に接続され、前記無線子機は、前記無線親機に登録要求の電文を送信する登録要求手段と、前記無線親機から送信された識別情報を登録する登録手段とを有し、前記無線親機は、前記登録要求の電文を受信したとき、前記無線子機に識別情報を送信する応答手段を有することを特徴とする無線データ通信システム。
【請求項３】
無線親機は、無線子機の識別情報として、仮の識別情報を設定することを特徴とする請求項１または２記載の無線データ通信システム。
【請求項４】
仮の識別情報は、ユーザＩＤを含み、該ユーザＩＤは、上位桁に仮であることを示すコードおよび下位桁に無線親機への登録順を示す記号によって構成されることを特徴とする請求項３記載の無線データ通信システム。
【請求項５】
センタ側装置は、仮の識別情報が登録された後、無線子機に対し正規の識別情報を設定することを特徴とする請求項３または４記載の無線データ通信システム。
【請求項６】
無線子機は、仮の識別情報が設定されている間は、無線親機に対する呼び出しを禁止することを特徴とする請求項３または４記載の無線データ通信システム。
【請求項７】
無線親機のインターフェース部と無線子機のインターフェース部とを通信可能にするために、両インターフェース部の間に中継器が介在され、該中継器は、前記無線親機あるいは無線子機のいずれか一方の無線機器から受信した電文を記憶し、該電文に誤りがある場合、電文を送信した無線機器に否定応答を返信し、前記電文が正しい場合、他方の無線機器に前記電文を送信することを特徴とする請求項１〜６のいずれかに記載の無線データ通信システム。
【請求項８】
センタ側装置と端末網制御装置とが通信回線を介して接続され、前記端末網制御装置に接続され、無線子機との間でデータ伝送を行い、端末機器と通信するためのインターフェース部を備えた無線データ通信システムにおける無線親機であって、前記インターフェース部を通じて前記無線子機からの登録要求の電文を受信したとき、前記無線子機の仮の識別情報を設定する設定手段と、前記インターフェース部から前記無線子機に自己の識別情報および前記仮の識別情報を送信する応答手段と、前記仮の識別情報に基づいて前記無線子機と無線通信を行って、無線子機に登録された正規の識別情報を受信して登録する登録手段とを有することを特徴とする無線データ通信システムの無線親機。
【請求項９】
センタ側装置と端末網制御装置とが通信回線を介して接続され、前記端末網制御装置に接続された無線親機との間でデータ伝送を行い、端末機器と通信するためのインターフェース部を備えた無線データ通信システムにおける無線子機であって、前記インターフェース部から前記無線親機に登録要求の電文を送信する登録要求手段と、前記インターフェース部を通じて前記無線親機から仮の識別情報および前記無線親機の識別情報を受信して登録する登録手段と、前記仮の識別情報に基づいて前記無線親機と無線通信を行って取得した正規の識別情報を登録する登録変更手段とを有することを特徴とする無線データ通信システムの無線子機。
【発明の詳細な説明】
【技術分野】
【０００１】
本発明は、センタ側装置に公衆電話回線等の通信回線を介して接続された端末網制御装置とガスメータ、水道メータ、センサ等の端末機器との間でのデータ伝送を無線によって行う無線テレメータシステム、あるいは異常事態を通報するセキュリティシステム等の無線データ通信システムに関する。
【背景技術】
【０００２】
無線テレメータシステムは、センタ側網制御装置と通信回線を介して接続された端末側網制御装置（以下、Ｔ−ＮＣＵと略す）と、Ｔ−ＮＣＵに接続された無線親機と、無線親機と無線回線を介して通信を行う複数の無線子機と、無線親機または無線子機に接続されたガス、水道、電気等のメータ、センサ等の端末機器によって構成される。なお、無線親機および無線子機を総称して無線機器とする。
【０００３】
上記の無線テレメータシステムにおいて、無線通信を行うためには相手局を登録しなければならない。特許文献１では、相手局登録を無線通信によって行う。すなわち、無線機器同士が相互のユーザＩＤを送受信することによって、互いのユーザＩＤの登録を行う。登録に使用するユーザＩＤは、無線機器の製造時に書き込まれる製造番号等を使用している。なお、ユーザＩＤを専用の設定器によって無線機器に書き込んだ後、相手局登録を無線通信によって行うものもある。
【０００４】
無線通信による相手局登録の手順は、以下の通りである。例えば無線子機から登録開始コマンドと自局の無線識別符号および自局のユーザＩＤを相手局である無線親機に送信する。無線親機は、受信した相手局の無線識別符号および相手局のユーザＩＤを記憶するとともに、相手局である無線子機に対して自局の無線識別符号および自局のユーザＩＤと記憶した相手局の無線識別符号、相手局のユーザＩＤを送信する。これを受信した無線子機は、自局の無線識別符号および自局のユーザＩＤを確認し、誤りがなければ受信した相手局の無線識別符号および相手局のユーザＩＤを記憶する。また、逆に無線親機から登録開始コマンドを送信して、相手局登録を開始する場合もある。
【０００５】
また、特許文献２では、受信機の識別情報をディップスイッチにより設定し、インターフェースから有線回線を介して設定した識別情報を受信機に送信することによって、相手局登録を行っている。 
【特許文献１】特開平１１−２７７６０号公報（段落０００８）
【特許文献２】特開平５−１３７１８０号公報（段落００２３）
【発明の開示】
【発明が解決しようとする課題】
【０００６】
上記のように相手局登録を無線通信によって行う場合、相手局登録時に使用する無線チャネルが、他の無線機器によって使用中であった場合、キャリアセンス機能が働き、その無線チャネルが使用できない。そのため、無線通信による登録作業が行えず、無線チャネルが空くまで待たなければならなくなる。
【０００７】
また、同一の無線システムにおいて、複数の無線親機が存在しているとき、同時に複数の無線親機と無線子機が各々相手局登録を行う場合がある。無線通信による相手局登録は、送信側からの登録開始コマンドと相手局の無線識別符号および相手局のユーザＩＤを受信することによって行われる。そのため、上記のような場合、受信側は、ユーザＩＤ等を送信してきた相手局が本来登録すべき相手局であるか判断できず、誤登録する可能性が高いという問題がある。
【０００８】
相手局登録の際、登録に使用するユーザＩＤとして、無線機器の製造時に書き込まれる製造番号等を使用した場合、ユーザ宅に設置する無線機器のユーザＩＤを予めセンタ側で知っておく必要がある。無線機器のユーザＩＤが不明であると、センタ側から無線機器を呼び出すことができない。さらに、ユーザ宅に設置する無線機器のユーザＩＤをセンタ側が知っている場合でも、一度に複数のユーザ宅に対して設置工事を行う場合、ユーザを取り違えて無線機器を設置してしまう可能性があり、センタ側から所望するユーザ宅の無線機器を呼び出すことができなくなる。
【０００９】
ユーザＩＤを専用の設定器によって書き込む場合にあっては、ユーザＩＤとして、センタ側で容易に特定できるユーザ宅の電話番号等を設定できる。しかし、設定器に誤ったユーザＩＤが入力される可能性がある。
【００１０】
また、相手局登録を無線通信によらず、専用のインターフェースによる有線通信によって行う場合にあっては、無線機器に専用のインターフェース回路を増設しなければならず、その分だけコストアップし、機器も大型化するという問題が生じる。
【００１１】
本発明は、上記に鑑み、相手局登録に際し、確実に登録作業を行え、しかも登録内容を間違えることなく行える無線データ通信システムの提供を目的とする。
【課題を解決するための手段】
【００１２】
本発明による課題解決手段は、センタ側装置と端末網制御装置とが通信回線を介して接続され、前記端末網制御装置に接続された無線親機と、該無線親機との間でデータ伝送を行う無線子機とを備え、前記無線親機および無線子機は、端末機器と通信するためのインターフェース部を有し、前記無線親機および無線子機は、前記インターフェース部を通じて識別情報を送信し、通信相手の登録を行うものである。
【００１３】
インターフェース部は、この種の無線機器には標準装備されており、これを使用して無線通信に必要な識別情報を送受信することにより、無線親機および無線子機は、相手局の識別情報をインターフェース部を通じて取得できる。したがって、他の無線通信の影響を受けることなく、確実に相手局登録を行うことができる。
【００１４】
ここで、無線親機のインターフェース部と無線子機のインターフェース部とが通信可能に接続される。両インターフェース部は、ケーブル等の通信線によって直接接続される。あるいは、無線親機のインターフェース部と無線子機のインターフェース部とを通信可能にするための中継器を両インターフェース部の間に介在させる。中継器を用いれば、インターフェース部の仕様が異なる場合でも通信可能にできる。また、同時に通信が行われて通信不能になるといった事態を未然に防げる。
【００１５】
中継器は、無線親機あるいは無線子機のいずれか一方の無線機器から受信した電文を記憶し、該電文に誤りがある場合、電文を送信した無線機器に否定応答を返信し、前記電文が正しい場合、他方の無線機器に前記電文を送信する。これによって、無線親機と無線子機との間で識別情報を間違いなく通信することができる。
【００１６】
無線子機は、無線親機に登録要求の電文を送信する登録要求手段と、無線親機から送信された識別情報を登録する登録手段とを有する。無線親機は、前記登録要求の電文を受信したとき、無線子機に識別情報を送信する応答手段を有する。
【００１７】
これによって、無線子機は、識別情報を無線親機から取得できる。識別情報は、無線親機が管理して、複数の無線子機に割り振るようにしてもよいが、センタ側装置において、無線親機の識別情報も含め一元的に管理するのが好ましい。このようにすれば、設定時の識別情報の入力ミスや無線子機を取り違えて設定しまうといった作業ミスを防げる。
【００１８】
センタ側装置において識別情報を管理する場合、インターフェース部を通じて取得する識別情報を仮の識別情報として設定する。そして、仮の識別情報を設定後、センタ側装置は、無線機器に対して正規の識別情報を設定する。仮の識別情報を設定することにより、無線機器は、センタ側装置からのデータを受信可能となる。そのため、センタ側装置は、無線親機および無線子機に対してそれぞれ正規の識別情報を送信する。これを受信した各無線機器は、自己の識別情報を登録する。
【００１９】
無線親機が無線子機に仮の識別情報を設定した場合、無線子機に正規の識別情報が設定された後に、無線親機は、仮の識別情報に基づいて無線子機と無線通信を行い、無線子機の正規の識別情報を取得する。この正規の識別情報を仮の識別情報に代えて登録することにより、相手局登録ができる。なお、無線子機は、無線親機の識別情報をインターフェース部を通じて取得し、この識別情報を登録している。
【００２０】
そして、無線子機は、仮の識別情報が設定されている間は、無線親機に対する呼び出しを禁止する。仮の識別情報を用いてセンタ側装置に発呼しても、センタ側装置では、発呼先を特定することができない。そこで、仮の識別情報が設定されている間に、無線子機から発呼すべき事態が発生しても、無線子機は、通信しないように規制する。なお、仮の識別情報が設定されている間に、無線親機が無線子機からの発呼を受けたとき、センタ側装置への通信を規制してもよい。したがって、仮の識別情報が設定されている間は、無線親機あるいは無線子機がセンタ側装置への発呼を規制することにより、センタ側装置において処理できない無駄な通信をなくすことができる。
【００２１】
特に、無線子機の識別情報が未設定であり、無線親機の識別情報が設定されている場合においては、無線親機は、インターフェース部を通じて無線子機からの登録要求の電文を受信したとき、無線子機の仮の識別情報を設定する設定手段と、インターフェース部から無線子機に自己の識別情報および仮の識別情報を送信する応答手段と、仮の識別情報に基づいて無線子機と無線通信を行って、無線子機に登録された正規の識別情報を受信して登録する登録手段とを有するものとする。
【００２２】
一方、無線子機は、インターフェース部から無線親機に登録要求の電文を送信する登録要求手段と、インターフェース部を通じて無線親機から仮の識別情報および無線親機の識別情報を受信して登録する登録手段と、仮の識別情報に基づいて無線親機と無線通信を行って取得した正規の識別情報を登録する登録変更手段とを有するものとする。正規の識別情報は、無線親機を通じてセンタ側装置と通信を行い、センタ側装置から取得する。
【発明の効果】
【００２３】
本発明によると、無線機器に標準装備されているインターフェース部を利用して、有線により識別情報を送信できるため、コストアップすることなく、確実に相手局登録を行える。また、識別情報をセンタ側装置によって管理しておき、これを各無線機器に登録することにより、識別情報の入力ミスをなくすことができ、間違いなく登録できる。
【発明を実施するための最良の形態】
【００２４】
本実施形態の無線データ通信システムを図１に示す。このシステムは、検針データを電話回線等の通信回線を通じてセンタ側装置に伝送する無線テレメータシステムであり、ホストコンピュータ１、センタ側網制御装置２からなるセンタ側装置と、電話回線を介してセンタ側網制御装置２に接続された端末網制御装置（Ｔ−ＮＣＵ）３と、Ｔ−ＮＣＵ３に有線で接続された無線親機４と、無線親機４と無線通信可能な１つあるいは複数の無線子機５とから構成され、無線親機４および無線子機５に、メータ６、センサ等の端末機器が接続される。なお、Ｔ−ＮＣＵ３には、１つの以上の無線親機４が接続される場合もある。
【００２５】
無線子機５は、図２に示すように、アンテナ７と、無線通信を行うための無線通信ユニット８と、子機全体の制御を司るマイコンからなる制御部９と、接続されたメータ６と通信を行うためのメータインターフェース部１０と、自局の識別情報を記憶する自局ＩＤ記憶部１１と、相手局の識別情報を記憶する相手局ＩＤ記憶部１２と、相手局登録時に使用する登録スイッチ、リセットスイッチ等が設けられたスイッチ部１３と、登録動作の結果等を表示する表示部１４とを備えている。これらの記憶部１１、１２は、書き換え可能な不揮発性メモリからなる。識別情報は、予め指定された無線識別符号（呼出名称）および通信相手を識別するための符号としてのユーザＩＤであり、無線識別符号は無線親機４および無線子機５の工場出荷時に設定され、自局ＩＤ記憶部１１に記憶されており、ユーザＩＤは設置時に設定される。
【００２６】
制御部９は、無線親機４から受信した電文をメータインターフェース部１０を通じてメータ６に出力するとともに、メータ６から出力された検針値等の電文を無線通信ユニット８を通じて無線親機４に送信する。なお、無線親機４は、無線子機５と同じ構成とされるが、Ｔ−ＮＣＵ３との間で通信を行うための回線制御部を有している。
【００２７】
メータインターフェース部１０を図３に示す。無線親機４または無線子機５からの電文をメータ６に送信するためのフォトカプラ１５と、メータ６からの電文を受信するためのフォトカプラ１６とから構成され、接続端子Ａ１、Ａ２を介してメータ６が接続される。メータ側の入出力回路として、無線親機４または無線子機５と電文を送受信するためのスイッチ１７、１８および抵抗１９、２０が内蔵されている。各スイッチ１７、１８は、メータ６に内蔵されたマイコンによって切換え制御される。
【００２８】
無線親機４または無線子機５のいずれかの無線機器とメータ６との通信について説明する。待機状態では、無線機器側の送信用フォトカプラ１５はオフになっており、メータ６の送信用スイッチ１７がＧＮＤに接続され、受信用スイッチ１８が受信回路に接続されている。メータ６が電文を送信する場合、受信用スイッチ１８をＧＮＤに接続し、送信データに応じて送信用スイッチ１７をオンオフする。
【００２９】
メータ６から送信された電文は、無線機器側の受信用フォトカプラ１６によって受信される。メータ６は電文送信後、受信待ちとなる。このとき、各スイッチ１７、１８の状態は待機状態のときと同じである。無線機器が電文を送信する場合、送信データに応じて送信用フォトカプラ１５をオンオフする。メータ６は、無線機器から送信された電文を受信用スイッチ１８を通じて受信する。以上のようにして、無線親機４または無線子機５とメータ６とは電文の送受信を行う。
【００３０】
そして、無線親機４と無線子機５とを無線通信可能とするためには、相手局の識別情報を登録するための相手局登録が必要となる。その際、無線子機５のユーザＩＤが未設定の場合、無線親機４と無線子機５は互いに無線通信できない状態にある。そこで、無線親機４と無線子機５とを有線で接続して、互いの識別情報を送受信することにより、ユーザＩＤを設定して相手局登録を行う。無線親機４のメータインターフェース部１０と無線子機５のメータインターフェース部１０とを通信可能な状態に接続するために中継器Ｒが用いられる。なお、無線子機５のユーザＩＤが設定されている場合、無線通信可能であるので、無線親機４と無線子機５は、無線通信によって相手局登録を行う。
【００３１】
中継器Ｒは、図４に示すように、無線親機４および無線子機５のメータインターフェース部１０に接続され、無線子機５と電文を送受信するためのスイッチ２１、２２および抵抗２３、２４と、無線親機４および無線子機５からの電文の送受信を制御する制御部２５と、抵抗２６、２７と、無線親機４と電文を送受信するためのスイッチ２８、２９とによって構成される。制御部２５は、電文の送受信に応じて各スイッチの切換えを制御する。
【００３２】
この中継器Ｒの動作を説明する。中継器Ｒの無線子機側端子Ａ１、Ａ２が無線子機５のメータインターフェース部１０の接続端子Ａ１、Ａ２に接続され、無線親機側端子Ａ１、Ａ２が無線親機４のメータインターフェース部１０の接続端子Ａ１、Ａ２に接続される。待機状態では、送信用スイッチ２１、２８がＧＮＤに接続され、受信用スイッチ２２、２９が制御部２５に接続されている。
【００３３】
無線子機５から送信された電文は、受信用スイッチ２２を通じて制御部２５に入力される。制御部２５は、無線子機５から受信した電文をメモリに記憶し、この電文に誤りがあるかチェックする。電文の誤りは、例えば電文の送信データにパリティを付加して、データの誤りをチェックすることにより検出される。電文に誤りがある場合、無線子機側の各スイッチ２１、２２を動作させて、無線子機５に否定応答を返信する。電文が正しい場合、無線親機４に送信するために、受信用スイッチ２９をＧＮＤに接続し、送信データに応じて送信用スイッチ２８をオンオフする。送信用スイッチ２８のオンオフによって、無線親機４に電文が送信される。無線親機４への送信終了後、無線親機側の各スイッチ２８、２９を待機時の状態に戻し、無線親機４からの電文の受信待ちとなる。無線親機４からの電文を受信した場合、上記と同様に、電文に誤りがないかチェックして、電文が正しければ、無線子機側の各スイッチ２１、２２を動作させて、無線子機５に電文を送信する。電文に誤りがある場合、無線親機４に否定応答を返信する。
【００３４】
そして、相手局登録を行うために、無線子機５は、中継器Ｒを介して無線親機４に登録要求の電文を送信する登録要求機能と、自己に設定された仮の識別情報および無線親機４の識別情報を中継器Ｒを通じて無線親機４から受信して登録する登録機能と、仮の識別情報に基づいて無線親機４と無線通信を行って取得した自己の正規の識別情報を登録する登録変更機能とを有する。正規の識別情報は、無線親機４を通じてセンタ側装置と通信を行うことにより、センタ側装置から取得する。
【００３５】
また、無線親機４は、中継器Ｒを通じて無線子機５からの登録要求の電文を受信したとき、無線子機５の仮の識別情報を設定する設定機能と、自己の識別情報および無線子機５の仮の識別情報を中継器Ｒを通じて無線子機５に送信する応答機能と、仮の識別情報に基づいて無線子機５と無線通信を行って、無線子機５に登録された正規の識別情報を受信して登録する登録機能とを有する。
【００３６】
なお、ここでの相手局登録における識別情報は、無線識別符号およびユーザＩＤである。各無線機器には、自己の無線識別符号がすでに設定されており、ユーザＩＤについては、無線親機４には設定され、無線子機５には設定されていない。そして、いずれの無線機器にも、相手局の識別情報は設定されていないものとする。
【００３７】
ここで、無線機器とメータ６間で送受信される電文を図５に示す。電文３０はメータ６からＴ−ＮＣＵ３への起動電文、電文３１は起動電文３０に対する応答電文である。さらに、応答電文３１に対する検針データを含んだメータ６からの応答電文、Ｔ−ＮＣＵ３からメータ６への起動電文、この起動電文に対する検針データを含んだメータ６からの応答電文等がある。これらの他に相手局登録時に使用される電文がある。電文３２はメータインターフェース部１０を通じて相手局登録を行う場合に送信する登録コマンド電文、電文３３はメータインターフェース部１０を通じて相手局登録を行う場合に無線子機５から送信する相手局登録電文、電文３４は相手局登録電文３３に応じて無線親機４から送信する相手局登録応答電文である。なお、応答電文３１は登録コマンド電文３２に対する応答電文でもある。相手局登録電文３３は無線子機５の無線識別符号を含む。相手局登録応答電文３４は無線親機４の無線識別符号およびユーザＩＤと無線子機５の無線識別符号および仮ユーザＩＤとを含む。この仮ユーザＩＤが、仮の識別情報となる。
【００３８】
また、電文３５は無線通信によって相手局登録を行う場合に無線子機５から無線親機４に送信する相手局登録電文、あるいは相手局登録動作完了後、センタ側装置より正規ユーザＩＤの設定を行う場合に無線親機４から無線子機５に送信する相手局登録電文である。電文３６は相手局登録電文３５に応じて無線親機４または無線子機５から送信する相手局登録応答電文である。なお、相手局登録電文３５および相手局登録応答電文３６では、無線ヘッダー等を図示していない。相手局登録電文３５は無線子機５の無線識別符号および正規ユーザＩＤを含み、相手局登録応答電文３６は無線親機４の無線識別符号およびユーザＩＤと無線子機５の無線識別符号および正規ユーザＩＤとを含む。
【００３９】
次に、相手局登録時の動作を図６〜１１に基づいて説明する。相手局登録は、新規に無線親機４および無線子機５を設置したとき、無線子機５を増設したとき、無線親機４を交換したとき等に行われる。まず、無線子機５における相手局登録の動作を図７に基づいて説明する。工事担当者は、無線子機５のスイッチ部１３にある登録スイッチを押下する。無線子機５の制御部９は、登録スイッチが押下されたことを検出すると、自局ＩＤ記憶部１１を参照し、自局のユーザＩＤが設定されているか確認する(Ｓ１)。ユーザＩＤが設定されている場合、無線通信によって相手局登録を行うために、相手局登録電文３５を無線親機４に送信する(Ｓ２)。この後、無線親機４と無線子機５との間で無線通信が行われ、相互の相手局登録が行われる。
【００４０】
ユーザＩＤが設定されていない場合、図６（ａ）に示すように、中継器Ｒを使用した有線通信によって相手局登録を行う。なお、中継器Ｒは、登録スイッチを操作する前に各無線機器のメータインターフェース部１０に接続されている。無線子機５の制御部９は、メータインターフェース部１０に登録コマンド電文３２を送信する(Ｓ３)。制御部９は、電文送信後、無線親機４からの応答電文３１の受信を待つ(Ｓ４)。応答がない場合、一定時間受信待ちを行う(Ｓ５)。一定時間経過しても応答がない場合、相手局登録に失敗したと判断し、相手局登録に失敗したことを表示部１４に表示する(Ｓ１０)。
【００４１】
応答電文３１を受信した場合、無線親機４に対して相手局登録電文３３を送信する(Ｓ６)。制御部９は、電文送信後、無線親機４からの相手局登録応答電文３４の受信を待つ(Ｓ７)。応答がない場合、一定時間受信待ちを行う(Ｓ８)。一定時間経過しても応答がない場合、相手局登録に失敗したと判断し、相手局登録に失敗したことを表示部１４に表示する(Ｓ１０)。相手局登録応答電文３４を受信した場合、相手局ＩＤ記憶部１２に相手局、すなわち無線親機４の無線識別符号およびユーザＩＤを記憶し、自局ＩＤ記憶部１１に自局、すなわち無線子機５の仮ユーザＩＤを記憶する(Ｓ９)。
【００４２】
このときの無線親機４における相手局登録の動作を図８に基づいて説明する。無線親機４の制御部９は、スイッチ部１３にある登録スイッチの押下を監視している(Ｓ１１)。工事担当者により登録スイッチが押下されたことを検出すると、従来通り無線通信によって相手局登録を行う(Ｓ１２)。登録スイッチが押下されていない場合、メータインターフェース部１０に入力がないか確認する(Ｓ１３)。入力がない場合、登録スイッチの押下の監視を続ける。
【００４３】
メータインターフェース部１０に入力があった場合、受信した電文が登録コマンド電文３２であるか確認する(Ｓ１４)。登録コマンド電文３２でない場合、通常のメータ６からの起動であるので、メータ６との通信を行う(Ｓ１５)。登録コマンド電文３２であった場合、メータインターフェース部１０に応答電文３１を送出する(Ｓ１６)。制御部９は、応答電文３１の送信後、メータインターフェース部１０の入力監視を行い、無線子機５からの相手局登録電文３３の受信を待つ(Ｓ１７)。応答がない場合、一定時間受信待ちを行う(Ｓ１８)。一定時間経過しても応答がない場合、相手局登録に失敗したと判断し、相手局登録に失敗したことを表示部１４に表示する(Ｓ１９)。相手局登録電文３３を受信した場合、相手局ＩＤ記憶部１２に相手局、すなわち無線子機５の無線識別符号および無線子機５に設定する仮ユーザＩＤを記憶し、無線子機５に対して設定する仮ユーザＩＤを含む相手局登録応答電文３４を送信する。ここで、設定する１６桁の仮ユーザＩＤは、上位９桁に仮ユーザＩＤを示すコードである「ＴＥＭＰＯＲＡＲＹ」、下位７桁に無線親機４への登録順に、１、２、３・・・と連番を付与したものを設定する。例えば、１番の無線子機５の仮ユーザＩＤは「ＴＥＭＰＯＲＡＲＹ００００００１」となる。
【００４４】
この後、無線親機４および無線子機５に接続されている中継器Ｒを取外し、無線親機４あるいは無線子機５を所定の位置に設置する。そして、メータインターフェース部１０にメータ６を接続することにより、設置作業が終了する。
【００４５】
以上のように、無線子機５の仮ユーザＩＤをメータインターフェース部１０を利用して登録することにより、相手局登録を無線通信によって行う場合における従来の問題を回避できる。すなわち、相手局登録時に使用する無線チャネルが他の無線機器によって使用中であると、無線チャネルが空くまで待たなければ登録作業が行えないといったことがなくなり、登録作業を迅速に行える。また、無線機器同士が１対１で通信するので、同一の無線システムにおいて、同時に複数の無線親機４と無線子機５が各々相手局登録を行った場合における誤登録を防げる。しかも、ユーザＩＤを入力することなく相手局登録ができるので、設定器によってユーザＩＤを設定するときのように誤入力するといったことは起こり得ない。
【００４６】
次に、仮ユーザＩＤが設定された無線子機５に対して正規ユーザＩＤを設定するときの動作を図９に基づいて説明する。ここでは、複数の無線子機５に対して、順に仮ユーザＩＤ１、２、３・・・が設定されているものとする。
【００４７】
図６（ｂ）に示すように、仮ユーザＩＤによる相手局登録が行われた無線親機４および無線子機５に対してセンタ側装置より正規ユーザＩＤの設定を行う。センタ側装置において、担当者は、ホストコンピュータ１を操作し、センタ側網制御装置２を起動する。センタ側網制御装置２は、正規ユーザＩＤの設定を行うＴ−ＮＣＵ３に接続された無線親機４を呼び出す(Ｓ２１)。その後、ホストコンピュータ１は、無線親機４の応答を監視する(Ｓ２２)。応答がない場合、一定時間受信待ちを行う(Ｓ２３)。一定時間経過しても応答がない場合、通信を終了する。
【００４８】
無線親機４が応答した場合、ホストコンピュータ１は、この無線親機４に対して設定された正規ユーザＩＤを含む電文を送信することによって、無線親機４に対する正規ユーザＩＤの設定を行う(Ｓ２４)。この電文を受信した無線親機４は、正規ユーザＩＤを自局ＩＤ記憶部１１に記憶する。なお、センタ側装置において、事前に無線親機４のユーザＩＤあるいは無線識別符号を登録しておくことにより、無線親機４を呼び出すことができる。
【００４９】
無線親機４に対する正規ユーザＩＤの設定が終了すると、ホストコンピュータ１は、引き続き仮ユーザＩＤ１の無線子機５を呼び出し(Ｓ２５)、無線子機５の応答を監視する(Ｓ２６)。応答がない場合、一定時間受信待ちを行う（Ｓ２７）、一定時間経過しても応答がない場合、通信を終了する。無線子機５が応答した場合、ホストコンピュータ１は、この無線子機４に対して設定された正規ユーザＩＤを含む電文を送信することによって、無線子機５に対する正規ユーザＩＤの設定を行う(Ｓ２８)。この電文を受信した無線子機５は、正規ユーザＩＤを自局ＩＤ記憶部１１に記憶する。ここで、センタ側装置と無線子機５との通信は、Ｔ−ＮＣＵ３および無線親機４を通じて行われる。また、無線親機４と無線子機５との間での無線通信は、仮ユーザＩＤを用いて行う。なお、センタ側装置は、無線子機５の無線識別符号あるいは仮ユーザＩＤを無線親機４との通信によって取得することにより、無線子機５を呼び出すことができる。
【００５０】
無線子機５に対する正規ユーザＩＤの設定が終了すると、ホストコンピュータ１は、正規ユーザＩＤが未設定の無線子機５があるか確認する。未設定の無線子機５が残っているため、次の無線子機５を呼び出し(Ｓ３１)、上記と同様に無線子機５に対する正規ユーザＩＤの設定を行う。未設定の無線子機５がなくなるまで上記動作を繰り返す。正規ユーザＩＤが未設定の無線子機５がなくなった場合、ホストコンピュータ１は、無線親機４に正規ユーザＩＤ設定終了コマンドを送信し(Ｓ３０)、通信を終了する。
【００５１】
上記のようにして、無線親機４および無線子機５は、夫々自己の正規ユーザＩＤを登録する。次に、無線親機４および無線子機５は、無線通信により相手局の正規ユーザＩＤを登録する。図９に示すように、正規ユーザＩＤ設定終了コマンドを受信した無線親機４の制御部９は、相手局ＩＤ記憶部１２を参照し、仮ユーザＩＤ１を用いて無線子機５を呼び出し(Ｓ３２)、無線子機５の応答を監視する(Ｓ３３)。応答がない場合、一定時間受信待ちを行う(Ｓ３４)。一定時間経過しても応答がない場合、通信を終了する。
【００５２】
無線子機５が応答した場合、無線親機４は、正規ユーザＩＤによる相手局登録のために、相手局登録電文３５を送信する(Ｓ３５)。その後、制御部９は、無線子機５の応答を監視する(Ｓ３６)。応答がない場合、一定時間受信待ちを行う(Ｓ３７)。一定時間経過しても応答がない場合、通信を終了する。無線親機４が、無線子機５からの相手局登録応答電文３６を受信した場合、制御部９は、相手局ＩＤ記憶部１２に相手局である無線子機５の無線識別符号およびユーザＩＤを記憶する(Ｓ３６)。無線親機４からの相手局登録電文３５を受信した無線子機５も同様に、相手局ＩＤ記憶部１２に相手局である無線親機４の無線識別符号およびユーザＩＤを記憶するとともに、自局ＩＤ記憶部１１にある仮ユーザＩＤを正規ユーザＩＤに書き換える。
【００５３】
このようにして、無線親機４と１つの無線子機５との相手局登録は完了する。無線親機４の制御部９は、この相手局登録が完了すると、相手局ＩＤ記憶部１２を参照し、仮ユーザＩＤで相手局登録している無線子機５があるか確認する(Ｓ３９)。ない場合、正規ユーザＩＤでの相手局登録完了として待機状態となる。仮ユーザＩＤで相手局登録している無線子機５がある場合、次の無線子機５を呼び出す(Ｓ４０)。以下同様に、仮ユーザＩＤで相手局登録している無線子機５がなくなるまで上記動作を繰り返す。
【００５４】
以上のように、センタ側装置による正規ユーザＩＤの設定の通信終了後に、無線親機４から仮ユーザＩＤを用いて無線子機５を呼び出し、相互に自己の正規ユーザＩＤを送信し、通信が正常に終了した時点から、相手局に関する登録データを正規ユーザＩＤに変更する。したがって、センタ側装置によって一元的に管理されたユーザＩＤに基づいて相手局登録を行えるので、無線親機４および無線子機５は、間違いなく相手局の正しいユーザＩＤを登録データとして記憶できる。
【００５５】
ところで、無線子機５に正規ユーザＩＤが設定されていないとき、定時検針等の発呼事象が発生した場合であっても、無線子機５は、無線親機４に対する呼び出しを禁止する。
【００５６】
すなわち、図１１に示すように、無線子機５の制御部９は、メータインターフェース部１０からの入力等による発呼事象が発生していないか常時監視している(Ｓ４１)。発呼事象が発生した場合、自局ＩＤ記憶部１１を参照し、正規ユーザＩＤが設定されているか確認する(Ｓ４２)。正規ユーザＩＤが設定されていない場合、すなわち自局ＩＤ記憶部１１の登録データとして、仮ユーザＩＤを意味する「ＴＥＭＰＯＲＡＲＹ」がユーザＩＤの上位９桁に設定されている場合、またはユーザＩＤの未設定を意味する「００００００００００００００００」の場合、発呼は行わず待機状態に戻る。自局ＩＤ記憶部１１に正規ユーザＩＤが設定されている場合、無線通信による発呼を行い、無線親機４、Ｔ−ＮＣＵ３を経由してセンタ側装置に通報する。
【００５７】
正規ユーザＩＤ以外でセンタ側装置に対して発呼しても、センタ側装置では発呼先が特定できない。そのため、無線子機５の制御部９は、正規ユーザＩＤが設定されていない場合にセンタ側装置との通信を規制する。したがって、無駄な通信をなくすことができ、内蔵された電池の消費を低減できる。センタ側装置では、発呼先が不明の通報を受信することがなくなり、通信の輻輳を防げる。
【００５８】
なお、本発明は、上記実施形態に限定されるものではなく、本発明の範囲内で上記実施形態に多くの修正および変更を加え得ることは勿論である。本実施形態では、無線子機にユーザＩＤが設定されていない場合における相手局登録であったが、無線親機にもユーザＩＤが設定されていない場合においても同様に仮のユーザＩＤを設定して、相手局登録を行ってもよい。また、中継器を利用して、ユーザＩＤ等の識別情報あるいは仮のユーザＩＤを無線親機および無線子機に設定するようにしてもよい。
【図面の簡単な説明】
【００５９】
【図１】本発明の無線テレメータシステムの全体構成図
【図２】無線機器の概略構成を示すブロック図
【図３】無線機器のメータインターフェース部およびメータのインターフェース部の構成図
【図４】中継器の構成図
【図５】無線テレメータシステムにおける電文例を示す図
【図６】相手局登録時の無線機器の接続関係を示す図であって、（ａ）は仮ユーザＩＤを設定するとき、（ｂ）は正規ユーザＩＤを設定するとき
【図７】無線子機において仮ユーザＩＤを設定するときのフローチャート
【図８】無線親機において仮ユーザＩＤを設定するときのフローチャート
【図９】センタ側装置から正規ユーザＩＤを設定するときのフローチャート
【図１０】無線親機において正規ユーザＩＤを設定するときのフローチャート
【図１１】正規ユーザＩＤが設定されていない場合の無線子機での発呼時のフローチャート
【符号の説明】
【００６０】
３    端末網制御装置
４    無線親機
５    無線子機
６    メータ
１０    メータインターフェース部
１１    自局ＩＤ記憶部
１２    相手局ＩＤ記憶部
Ｒ    中継器
【図１】
2005057412.tif 000003
【図２】
2005057412.tif 000004
【図３】
2005057412.tif 000005
【図４】
2005057412.tif 000006
【図５】
2005057412.tif 000007
【図６】
2005057412.tif 000008
【図７】
2005057412.tif 000009
【図８】
2005057412.tif 000010
【図９】
2005057412.tif 000011
【図１０】
2005057412.tif 000012
【図１１】
2005057412.tif 000013